(57)【要約】【課題】  装飾性に優れ且つ機能的に構成された時計装置を提供すること。【解決手段】  筺体２００と、筺体の上部に設けられた時刻表示手段３００及び装飾用の駆動体４００と、筺体に組み付けられるとともに時刻表示手段及び駆動体を覆うカバー体５００と、筺体に対し出し入れ可能に設けられた引出し部６００とを備え、引出し部には、当該装置の電池ボックス６１０、又は当該装置を制御するための操作スイッチ６２０を設けた。また、筺体側と引出し部側とを電気的に接続するコード６４０を備え、筺体及び引出し部の少なくとも一方には、それらの間に隙間を形成する凹部６０２を設け、コードは、凹部に収まるようにした。【選択図】図１
2008051514.tif 000002
【特許請求の範囲】
【請求項１】
筺体と、前記筺体の上部に設けられた時刻表示手段及び装飾用の駆動体と、前記筺体に組み付けられるとともに前記時刻表示手段及び前記駆動体を覆うカバー体と、前記筺体に対し出し入れ可能に設けられた引出し部とを備え、前記引出し部には、当該装置の電池ボックスを設けたことを特徴とする時計装置。
【請求項２】
筺体と、前記筺体の上部に設けられた時刻表示手段及び装飾用の駆動体と、前記筺体に組み付けられるとともに前記時刻表示手段及び前記駆動体を覆うカバー体と、前記筺体に対し出し入れ可能に設けられた引出し部とを備え、前記引出し部には、当該装置を制御するための操作スイッチを設けたことを特徴とする時計装置。
【請求項３】
前記筺体側と前記引出し部側とを電気的に接続するコードを備え、
前記引出し部には、前記コードを通す通路を設けたことを特徴とする請求項１又は２記載の時計装置。
【請求項４】
前記筺体には、前記コードの位置を規制するガイド部を設けたことを特徴とする請求項３記載の時計装置。
【請求項５】
筺体と、前記筺体に対し出し入れ可能に設けられた引出し部と、前記筺体側と前記引出し部側とを電気的に接続するコードとを備え、
前記引出し部には、前記コードを通す通路を設けたことを特徴とする引出し機構。
【請求項６】
前記筺体には、前記コードの位置を規制するガイド部を設けたことを特徴とする請求項５記載の引出し機構。
【発明の詳細な説明】
【技術分野】
【０００１】
本発明は、装飾性に優れた時計装置に関する。
【背景技術】
【０００２】
置き時計などの時計は、装飾性に優れたものが好まれる傾向にある。この種の時計としては、装飾用の駆動体を設けて、これを定常的に又は所定のタイミングでモータ駆動するものが広く知られている。時計の装飾に利用される駆動体の構成は、例えば特許文献１及び２にも開示されている。
【特許文献１】特開平８−１８９２３２号公報
【特許文献２】特開平１１−１６０４６０号公報
【発明の開示】
【発明が解決しようとする課題】
【０００３】
さて近年、時計のデザインはますます多様化される傾向にあり、時計全体のレイアウトについても、使用時の利便性をふまえつつ高級感を醸し出すための工夫が求められている。例えば従来では、時計の筺体に電池ボックスや操作スイッチを覆う蓋を設け、必要に応じてその蓋を開閉する構成が広く採用されている。しかし、このような蓋は、粗末な構成という印象を与えることになるため、品格を保つという点では、不利であるとされる。置き時計の場合は、その底面に蓋が位置するように構成することも可能であるが、重量が嵩むと使い勝手が悪いものとなる。本発明は、かかる事情に鑑みてなされたものであり、その目的は、装飾性に優れ且つ機能的に構成された時計装置を提供することである。
【課題を解決するための手段】
【０００４】
本願第１請求項に記載した発明は、筺体と、前記筺体の上部に設けられた時刻表示手段及び装飾用の駆動体と、前記筺体に組み付けられるとともに前記時刻表示手段及び前記駆動体を覆うカバー体と、前記筺体に対し出し入れ可能に設けられた引出し部とを備え、前記引出し部には、当該装置の電池ボックスを設けた構成の時計装置である。
【０００５】
本願第２請求項に記載した発明は、請求項１において、筺体と、前記筺体の上部に設けられた時刻表示手段及び装飾用の駆動体と、前記筺体に組み付けられるとともに前記時刻表示手段及び前記駆動体を覆うカバー体と、前記筺体に対し出し入れ可能に設けられた引出し部とを備え、前記引出し部には、当該装置を制御するための操作スイッチを設けた構成の時計装置である。
【０００６】
本願第３請求項に記載した発明は、請求項１又は２において、前記筺体側と前記引出し部側とを電気的に接続するコードを備え、前記引出し部には、前記コードを通す通路を設けた構成の時計装置である。
【０００７】
本願第４請求項に記載した発明は、請求項３において、前記筺体には、前記コードの位置を規制するガイド部を設けた構成の時計装置である。
【０００８】
本願第５請求項に記載した発明は、筺体と、前記筺体に対し出し入れ可能に設けられた引出し部と、前記筺体側と前記引出し部側とを電気的に接続するコードとを備え、前記引出し部には、前記コードを通す通路を設けた構成の引出し機構である。
【０００９】
本願第６請求項に記載した発明は、請求項５において、前記筺体には、前記コードの位置を規制するガイド部を設けた構成の引出し機構である。
【発明の効果】
【００１０】
本発明によれば、装飾性に優れ且つ機能的に構成された時計装置を得ることができる。
【発明を実施するための最良の形態】
【００１１】
以下に、本発明の実施例を図面に基づいて詳細に説明する。図１乃至図５に示す時計装置１は、筺体２００と、筺体２００の上部に設けられた時刻表示手段３００及び装飾用の複数の駆動体４００と、筺体２００に組み付けられるとともに時刻表示手段３００及び駆動体４００を覆う透明又は半透明のカバー体５００と、筺体２００に対し出し入れ可能に設けられた引出し部６００とを備えたものである。引出し部６００には、当該装置の電池ボックス６１０及び当該装置を制御する操作スイッチ６２０が設けられている。
【００１２】
本例の筐体２００は、時計装置１の台座を構成する扁平型のものである。筐体２００の下部には適宜間隔で脚体２１０が設けられている。また、筐体２００の上部は、時刻表示手段３００及び複数の駆動体４００が設けられたステージとなっている。カバー体５００は、飾り５１０が施されたドーム状のものである。引出し部６００は、筐体２００の側面から水平に出し入れ可能に設けられている。
【００１３】
時刻表示手段３００は、樹木を呈する装飾体３３０の内部に指針３１０を駆動するムーブメント３２０を設けてなるものである。指針３１０は、装飾体３００の正面側において駆動する。また、図例の各駆動体４００は、木の枝にとまった小鳥を呈するものであり、それぞれ筐体の内部に設けられたモータ４１０を動力として駆動するように構成されている。その駆動形態は、本例の場合、可動部たる小鳥の首部４０１と小鳥のくちばし部４０２が不図示のリンク機構及びカム機構を介してモータ４１０と連結されており、モータ４１０が駆動するとそれらが所定のタイミングで往復運動するように構成されている。時計装置１は、正時になると、駆動体４００がモータ４１０により駆動するとともに、筐体２００の内部に設けられたスピーカ７００からメロディと効果音が発生する構成となっている。
【００１４】
次に、引出し機構、すなわち引出し部６００の構成について説明する。図６は、引出し部６００を示す説明図である。本例の場合、筐体２００の内部には溝部２０１を設けるとともに、引出し部６００には溝部２０１に係止されるスライダ片６０１を設けている。引出し部６００の可動方向及び可動範囲は、溝部２０１及びスライダ片６０１により規制されている。
【００１５】
時刻表示手段３００、駆動体２００、及びスピーカ７００は、引出し部６００の電池ボックス６１０に嵌装される電池を電源として作動する。また、引出し部６００には、回路基板６３０が設けられており、各操作スイッチ６２０は、この回路基板６３０に、所要のプログラムを格納したマイコン（図示はせず）とともに搭載されている。電池の電力は、回路基板６３０を介して時刻表示手段３００のムーブメント３２０及び駆動体２００のモータ４１０に供給される。
【００１６】
尚、各操作スイッチ６２０の機能は特に限定はしないが、本例においては、駆動体２００及びスピーカ７００の作動を切りかえるＯＮ／ＯＦＦスイッチ、駆動体２００及びスピーカ７００を任意に作動させるモニタースイッチ、スピーカの音量を調整する音量調整スイッチ等が設けられている。
【００１７】
回路基板６３０とムーブメント３２０、及び回路基板６３０とモータ４１０は、コード６４０にて接続されている。すなわち、筺体２００と引出し部６００との間には、筺体２００側と引出し部６００側とを電気的に接続するコード６４０を設けた。更に、引出し部６００には、コード６４０を通す通路６０２を設けた。図例の通路６０２は、引出し部６００の底面に形成した凹状の部位にプレート６０３を装着して構成したものである（図６参照）。この通路６０２は扁平状を呈するものであり、引出し部６００を筐体２００に押し込む際に生じるコード６４０の弛みは、通路６０２に吸収される。
【００１８】
尚、図５中の２０２は、コード６４０の位置を規制するガイド部である。引出し部６００を筐体２００に押し入れる際には、凹部６０２に収まっていないコード６４０の部位が弛むことにより、かかる部位が筐体２００の内部に拡散してしまうことも考えられる。この点、本例では、コード６４０があらぬ方向に向って弛むと、筐体２００の適宜部位に設けられたガイド部２０２に当接して、コード６４０の拡散が未然に防止される構成となっている。コード６４０が凹部６０２に収まるように構成されているので、引出し部６００が筐体２００との間にコード６４０を挟み込むという心配はない。
【００１９】
このような構成によると、高級感に富んだ優雅な時計を得ることができる。電池の交換や、操作スイッチ６２０の切換えは、引出し部６００を出し入れして行うことができる。取扱いも容易である。
【００２０】
以上説明したように、本例の時計装置は、装飾性に優れ且つ機能的に構成されたものであり、高級置き時計として優れた効果を奏するものである。尚、本例における各部の構成は、特許請求の範囲に記載した技術的範囲において適宜に設計変更が可能であり、図例説明したものに限定されないことは勿論である。
【産業上の利用可能性】
【００２１】
本発明の時計は、高級感のある置き時計として好適に利用することが可能である。
【図面の簡単な説明】
【００２２】
【図１】本発明の実施例に係り、時計を示す正面図である。
【図２】本発明の実施例に係り、時計を示す側面図である。
【図３】本発明の実施例に係り、時計を示す上面図である。
【図４】本発明の実施例に係り、引出し部を引出した状態の時計を示す上面図である。
【図５】本発明の実施例に係り、引出し部を引出した状態の時計を示す透視上面図である。
【図６】本発明の実施例に係り、引出し部を示す説明図である。（ａ）は引出し部を示す上面図であり、（ｂ）は（ａ）のＸ−Ｘ断面図である。
【符号の説明】
【００２３】
１    時計装置
２００    筐体
２０１    溝部
２１０    脚体
２０２    ガイド部
３００    時刻表示手段
３１０    指針
３２０    ムーブメント
３３０    装飾体
４００    駆動体
４０１    小鳥の首部
４０２    小鳥のくちばし部
４１０    モータ
５００    カバー体
５１０    飾り
６００    引出し部
６０１    スライダ片
６０２    通路
６０３    プレート
６１０    電池ボックス
６２０    操作スイッチ
６３０    回路基板
６４０    コード
７００    スピーカ
【図１】
2008051514.tif 000003
【図２】
2008051514.tif 000004
【図３】
2008051514.tif 000005
【図４】
2008051514.tif 000006
【図５】
2008051514.tif 000007
【図６】
2008051514.tif 000008